(57)【要約】      （修正有）【課題】開封に対しての作業性と密閉性を両立させた粉体用包装袋を提供する。【解決手段】開封口形成端部の片面を、折り込み部３，４を形成し、開封口にインナーパッチ９を重ね、開き面６及び折り込み部３，４の第２折線Ｌ２の外側部分とインナーパッチ９とを接着するとともに、接着部の端部から第２折線Ｌ２、第３折線Ｌ３を跨いだ範囲まで疑似接着し、開き面６及び折り込み部３，４を第２折線Ｌ２で山折りし、開き面６及び折り込み部３，４の折り返し部をインナーパッチ９及び折り込み部３，４の対向面に接着し、開き面７及び折り込み部３，４をインナーパッチ９とともに第３折線Ｌ３で山折りし、ンナーパッチ９の第３折線Ｌ３の外側部分９ｂと、外側部分９ｂと対向するインナーパッチ９の第３折線Ｌ３の内側部分とを接着するとともに、開き面７及び折り込み部３，４の折り返し部を開き面６及び折り込み部３，４の折り返し部に重ねて疑似接着した。【選択図】図１
2016016886.tif 000002
【特許請求の範囲】
【請求項１】
紙筒を平坦に折り潰して包装袋本体の開封口形成端部の片面を、両隅に三角形状の折り込み部を形成しながら、前記開封口形成端部の端縁と平行な第１折線に沿って谷折りすることにより、矩形状の開封口を形成し、
前記第１折線を挟んで両側に存在する前記開封口形成端部の開き面及び折り込み部に、第１折線と平行な第２折線、第３折線を、それぞれ第１折線から同間隔をあけて予定し、
前記矩形状の開封口に、前記第２折線、第３折線と両隅の前記折り込み部の端縁で形成される矩形部位を覆うように矩形状に形成した紙製のインナーパッチを重ね、
前記第２折線が予定されている一方の開き面及び両隅の前記折り込み部の前記第２折線の外側部分と前記インナーパッチとを接着するとともに、両隅の前記折り込み部と前記インナーパッチとを前記接着した接着部の端部から第２折線、第３折線を跨いだ範囲まで剥離可能に疑似接着し、
この状態から、前記一方の開き面及び両隅の折り込み部をインナーパッチとともに第２折線で山折りし、該山折りした前記一方の開き面及び両隅の折り込み部の折り返し部を前記インナーパッチ及び折り込み部の対向面に重ねて接着し、
前記他方の開き面及び両隅の折り込み部をインナーパッチとともに第３折線で山折りし、該山折りしたインナーパッチの前記第３折線の外側部分と、該外側部分と対向するインナーパッチの前記第３折線の内側部分とを接着するとともに、前記山折りした前記他方の開き面及び両隅の折り込み部の折り返し部を前記一方の開き面及び両隅の折り込み部の折り返し部に重ねて剥離可能に疑似接着しており、
さらに、前記折り返して重ねられたそれぞれの開き面及び折り込み部の折り返し部の背面上に、カットテープを備えた矩形状の紙製の封止補助シートを接着したことを特徴とする粉体用包装袋の開封口構造。
【発明の詳細な説明】
【技術分野】
【０００１】
本発明は、小麦粉、カーボンブラック、セメント、医療用コンスターチ、塩化ビニル樹脂等の粉体を包装する紙製の粉体用包装袋の開封口構造に関する。
【背景技術】
【０００２】
小麦粉、カーボンブラック、セメント、医療用コンスターチ、塩化ビニル樹脂等の粉体を包装する紙製の粉体用包装袋として、カットテープ付の開封容易な両底貼り袋が多く使用されている。
かかる粉体用包装袋の開封口構造には、開封に際しての作業性と密閉性が要求される。しかし、開封に際しての作業性を良くすると密閉性に難が生じ、密閉性を良くすると開封に際しての作業性に難が生じるといったことから、開封に対しての作業性と密閉性の両方を満たす粉体用包装袋の開封口構造が求められている。
【０００３】
従来、開封に対しての作業性と密閉性の両方を満たす粉体用包装袋の開封口構造として、紙筒を平坦に折り潰して包装袋本体の開封口形成端部の片面を、両隅に三角形状の折り込み部を形成しながら、開封口形成端部の端縁と平行な第１折線に沿って谷折りすることにより、矩形状の開封口を形成し、第１折線を挟んで両側に存在する開封口形成端部の開き面及び折り込み部に、第１折線と平行な第２折線、第３折線を、それぞれ第１折線から同間隔をあけて予定し、矩形状の開封口に、第２折線、第３折線と両隅の折り込み部の端縁で形成される矩形部位を覆うように矩形状に形成した紙製のインナーパッチを重ね、第２折線が予定されている一方の開き面の第２折線の外側の部分とインナーパッチとを固着し、両隅の折り込み部とインナーパッチとを第２折線、第３折線を跨ぐ範囲で剥離可能に疑似接着し、この状態で他方の開き面及び両隅の折り込み部をインナーパッチとともに第３折線で山折りし、該山折りした他方の開き面及び両隅の折り込み部の折り返し部をインナーパッチ及び折り込み部の対向面に重ね、一方の開き面及び両隅の折り込み部をインナーパッチとともに第２折線で山折りし、該山折りした一方の開き面及び両隅の折り込み部の折り返し部を、折り込み部の対向面及び他方の開き面の折り返し部の背面に剥離可能に疑似接着しており、さらに、折り返して重ねられたそれぞれの開き面及び折り込み部の折り返し部の背面上に、カットテープを備えた矩形状の紙製の封止補助シートを固着した粉体用包装袋の開封口構造が開示されている（例えば、特許文献１参照。）。
【０００４】
特許文献１に記載されている粉体用包装袋の開封口構造は、開封口の開封は、カットテープで封止補助シートを切断し、他方の開き面の折り返し部の背面に疑似接着している一方の開き面の折り返し部を剥離して第２折線から開くとともに、他方の開き面の折り返し部第３折線から開く。このときの開封口は、特許文献１の図３と同じ状態となる。この状態から、他方の開き面の折り返し部と重なっているインナーパッチの端縁を持って他方の開き面側に引き上げ、疑似接着している両隅の折り込み部から剥離して開封口を開封している。
【先行技術文献】
【特許文献】
【０００５】
【特許文献１】特開２００３−２６１１５３号公報
【発明の概要】
【発明が解決しようとする課題】
【０００６】
前記特許文献１に記載されている粉体用包装袋の開封口構造によれば、開封口の開封は、カットテープで封止補助シートを切断し、それぞれの開き面の折り返し部を開いてから、他方の開き面の折り返し部と重なっているインナーパッチの端縁を持って他方の開き面側に引き上げ、疑似接着している両隅の折り込み部から剥離して開封するので、インナーパッチの紙厚が薄いと破れるおそれがあることからインナーパッチの剥離に注意を要することになり、その分開封作業を面倒にするといった問題があり、かかる問題の解消には疑似接着する疑似接着剤の接着力を弱くすることが考えられるが、接着力を弱くすると密封性が損なわれ粉体が漏れるおそれがあるといった問題がある。
【０００７】
本発明の目的は、開封に対しての作業性と密閉性を効果的に両立させた粉体用包装袋の開封口構造を提供することにある。
【課題を解決するための手段】
【０００８】
上記の目的を達成するために、請求項１に記載の発明は、紙筒を平坦に折り潰して包装袋本体の開封口形成端部の片面を、両隅に三角形状の折り込み部を形成しながら、前記開封口形成端部の端縁と平行な第１折線に沿って谷折りすることにより、矩形状の開封口を形成し、前記第１折線を挟んで両側に存在する前記開封口形成端部の開き面及び折り込み部に、第１折線と平行な第２折線、第３折線を、それぞれ第１折線から同間隔をあけて予定し、前記矩形状の開封口に、前記第２折線、第３折線と両隅の前記折り込み部の端縁で形成される矩形部位を覆うように矩形状に形成した紙製のインナーパッチを重ね、前記第２折線が予定されている一方の開き面及び両隅の前記折り込み部の前記第２折線の外側部分と前記インナーパッチとを接着するとともに、両隅の前記折り込み部と前記インナーパッチとを前記接着した接着部の端部から第２折線、第３折線を跨いだ範囲まで剥離可能に疑似接着し、この状態から、前記一方の開き面及び両隅の折り込み部をインナーパッチとともに第２折線で山折りし、該山折りした前記一方の開き面及び両隅の折り込み部の折り返し部を前記インナーパッチ及び折り込み部の対向面に重ねて接着し、前記他方の開き面及び両隅の折り込み部をインナーパッチとともに第３折線で山折りし、該山折りしたインナーパッチの前記第３折線の外側部分と、該外側部分と対向するインナーパッチの前記第３折線の内側部分とを接着するとともに、前記山折りした前記他方の開き面及び両隅の折り込み部の折り返し部を前記一方の開き面及び両隅の折り込み部の折り返し部に重ねて剥離可能に疑似接着しており、さらに、前記折り返して重ねられたそれぞれの開き面及び折り込み部の折り返し部の背面上に、カットテープを備えた矩形状の紙製の封止補助シートを接着したことを特徴としている。
【発明の効果】
【０００９】
請求項１に記載の粉体用包装袋の開封口構造によれば、前記矩形状の開封口に、前記第２折線、第３折線と両隅の前記折り込み部の端縁で形成される矩形部位を覆うように矩形状に形成した紙製のインナーパッチを重ね、前記第２折線が予定されている一方の開き面及び両隅の前記折り込み部の前記第２折線の外側部分と前記インナーパッチとを接着するとともに、両隅の前記折り込み部と前記インナーパッチを前記接着した接着部の端部から第２折線、第３折線を跨いだ範囲まで剥離可能に疑似接着しているので、このように接着されたインナーパッチにより開封口の密閉性が高められ粉体の漏れを効果的に防止することができる。
【００１０】
また、インナーパッチが重ねられている状態から、前記一方の開き面及び両隅の折り込み部をインナーパッチとともに第２折線で山折りし、該山折りした前記一方の開き面及び両隅の折り込み部の折り返し部を前記インナーパッチに重ねて接着しているので、開封時に、カットテープで封止補助シートを切断し、前記他方の開き面の折り返し部を一方の開き面の折り返し部から剥離して開いた後、前記一方の開き面の折り返し部を開く動作で、同時に前記インナーパッチを両隅の折り込み部から剥離することができることになり、前記一方の開き面の折り返し部を開く動作と前記インナーパッチを両隅の折り込み部から剥離する動作を別々に行っていた開封作業に比べ作業が単純になり、開封作業効率の向上を図ることができる。
【００１１】
また、山折りした前記一方の開き面及び両隅の折り込み部の折り返し部が前記インナーパッチに接着しているので、前記インナーパッチと前記一方の開き面及び両隅の折り込み部の折り返し部が一体となり、インナーパッチ自体の破断が前記一方の開き面及び両隅の折り込み部の折り返し部で抑えられることになり、そして、前記他方の開き面及び両隅の折り込み部とともに山折りしたインナーパッチの前記第２折線の外側部分と、外側部分と対向するインナーパッチの前記第２折線の内側部分とが接着しているので、インナーパッチの他方の開き面側にある未接着端縁の破断強度が強くなることから、開封時に、インナーパッチの他方の開き面側にある未接着端縁からインナーパッチの内面側に指を差し込み一気に前記インナーパッチを両隅の前記折り込み部から剥離しても前記インナーパッチが破断するおそれが無く、開封作業を容易に行うことができ、また、前記インナーパッチの破断のおそれが無くなる分、両隅の前記折り込み部と前記インナーパッチとを剥離可能に接着する疑似接着剤の接着強度を上げることができるので、開封口の密閉性の向上を図ることができる。
【図面の簡単な説明】
【００１２】
【図１】本発明に係る粉体用包装袋の開封口構造の実施の形態の一例を示す一部切欠平面図である。
【図２】図１の粉体用包装袋の開封口構造の封止工程を示す工程図である。
【図３】図１の粉体用包装袋の開封口構造の封止工程を示す工程図である。
【図４】図１の粉体用包装袋の開封口構造の封止工程を示す工程図である。
【図５】図１の粉体用包装袋の開封口構造の封止工程を示す工程図である。
【図６】図１の粉体用包装袋の開封口構造の封止工程を示す工程図である。
【図７】図１の粉体用包装袋の開封口構造の封止工程を示す工程図である。
【図８】図１の粉体用包装袋の開封口構造の開封状態を示す説明図である。
【図９】図１の粉体用包装袋の開封口構造の開封状態を示す説明図である。
【発明を実施するための形態】
【００１３】
以下、本発明に係る粉体用包装袋の開封口構造の実施の形態の一例を、図面を参照して詳細に説明する。
図１は本発明に係る粉体用包装袋の開封口構造の実施の形態の一例を示す一部切欠平面図、図２乃至図７は図１の粉体用包装袋の開封口構造の封止工程を示す工程図、図８，図９は開封状態を示す説明図である。
【００１４】
本例の粉体用包装袋の開封口構造について、図２乃至図７に示す粉体用包装袋の開封口構造の封止工程に基づいて説明する。先ず、図２に示すように、紙筒を平坦に折り潰して包装袋本体１の開封口形成側端部２の片面を、両隅に三角形状の折り込み部３，４を形成しながら、前記開封口形成側端部２の端縁２ａと平行な第１折線Ｌ１に沿って谷折りすることにより、矩形状の開封口５を形成する。
【００１５】
そして、前記第１折線Ｌ１を挟んで両側（図面上、上下）に存在する前記開封口形成側端部２の開き面６，７及び両隅の折り込み部３，４に、前記第１折線Ｌ１と平行な第２折線Ｌ２，第３折線Ｌ３を、それぞれ第１折線Ｌ１から同間隔をあけて予定する。
【００１６】
次に、図３に示すように、前記矩形状の開封口５に、前記第２折線Ｌ２，第３折線Ｌ３と両隅の折り込み部３，４の端縁３ａ，４ａで形成される矩形部位８を覆うように矩形状に形成された紙製のインナーパッチ９を重ねる。そして、第２折線Ｌ２が予定されている一方の開き面６及び両隅の折り込み部３，４の第２折線Ｌ２の外側の部分とインナーパッチ９とを疑似接着剤１０ａにより剥離可能に疑似接着するとともに、両隅の折り込み部３，４とインナーパッチ９を疑似接着剤１０ａで接着した疑似接着部の端部から第２折線Ｌ２，第３折線Ｌ３を跨いだ範囲まで疑似接着剤１０ｂにより剥離可能に疑似接着する。
本例では、第２折線Ｌ２が予定されている一方の開き面６及び両隅の折り込み部３，４の第２折線Ｌ２の外側の部分とインナーパッチ９とを疑似接着剤１０ａにより剥離可能に疑似接着しているが、必ずしも疑似接着剤である必要はなく、接着力の強い接着剤で接着してもよい。
【００１７】
次に、この状態で図４に示すように、一方の開き面６の第２折線Ｌ２の外側部分及び両隅の折り込み部３，４の第２折線Ｌ２の外側部分で、インナーパッチ９で覆われていない面と、他方の開き面７の第３折線Ｌ３の外側部分及び両隅の折り込み部３，４の第３折線Ｌ３の外側部分で、インナーパッチ９で覆われていない面に、疑似接着剤１０ｃ,１０ｄを塗布し、さらに、インナーパッチ９における第２折線Ｌ２と第３折線Ｌ３の外側部分９ａ，９ｂに接着剤１１を塗布する。
インナーパッチ９における第２折線Ｌ２と第３折線Ｌ３の外側部分９ａ，９ｂに接着する接着剤１１は接着力に特に限定されるものではなく、疑似接着剤であってもよい。
【００１８】
この状態から、図５に示すように、一方の開き面６及び両隅の折り込み部３，４をインナーパッチ９とともに第２折線Ｌ２で山折りし、山折りしたインナーパッチ９の第２折線Ｌ２の外側部分９ａと、外側部分９ａと対向するインナーパッチ９の第２折線Ｌ２の内側部分とを接着するとともに、山折りした一方の開き面６の折り返し部６ａ及び両隅の折り込み部３，４の折り返し部３ｂ，４ｂをインナーパッチ９及び折り込み部３，４の対向面に重ねて接着する。
【００１９】
そして、図６に示すように、他方の開き面７及び両隅の折り込み部３，４をインナーパッチ９とともに第３折線Ｌ３で山折りし、山折りしたインナーパッチ９の第３折線Ｌ３の外側部分９ｂと、外側部分９ｂと対向するインナーパッチ９の第３折線Ｌ３の内側部分とを接着するとともに、山折りした他方の開き面７の折り返し部７ａ及び両隅の折り込み部３，４の折り返し部３ｃ，４ｃを一方の開き面６及び両隅の折り込み部３，４の折り返し部３ｂ，４ｂ及び折り込み部３，４の対向面に重ねて剥離可能に疑似接着する。
【００２０】
最後に、図７に示すように、前記折り返して重ねられたそれぞれの開き面６，７の折り返し部６ａ，７ａ部及び折り込み部３，４の折り返し部３ｂ，４ｂ，３ｃ，４ｃの背面上に、カットテープ１２を備えた矩形状の紙製の封止補助シート１３を接着剤により固着する。更に、封止補助シート１３を、両隅の折り込み部３，４の折り返し部３ｂ，４ｂ，３ｃ，４ｃの間に露出している両隅の折り込み部３，４の露出面にも剥離可能に疑似接着する。
【００２１】
前記封止補助シート１３に備えられたカットテープ１２の位置は、一方の開き面６の折り返し部６ａの背面に疑似接着された他方の開き面７の折り返し部７ａの端縁と一致する位置に配置されている。
【００２２】
このようにして構成された本例の粉体用包装袋の開封口構造によれば、矩形状の開封口５に、第２折線Ｌ２、第３折線Ｌ３と両隅の折り込み部３，４の端縁で形成される矩形部位８を覆うように矩形状に形成した紙製のインナーパッチ９を重ね、第２折線Ｌ２が予定されている一方の開き面６及び両隅の折り込み部３，４の第２折線Ｌ２の外側部分とインナーパッチ９とを疑似接着剤１０ａにより剥離可能に疑似接着するとともに、両隅の折り込み部３，４とインナーパッチ９を疑似接着剤１０ａで接着した疑似接着部の端部から第２折線Ｌ２，第３折線Ｌ３を跨いだ範囲まで疑似接着剤１０ｂにより剥離可能に疑似接着しているので、このように疑似接着されたインナーパッチ９により開封口５の密閉性が高められ粉体の漏れを効果的に防止することができる。
【００２３】
また、インナーパッチ９が重ねられている状態から、一方の開き面６及び両隅の折り込み部３，４をインナーパッチ９とともに第２折線Ｌ２で山折りし、山折りした一方の開き面６の折り返し部６ａ及び両隅の折り込み部３，４の折り返し部３ｂ，４ｂをインナーパッチ９及び折り込み部３，４の対向面に重ねて剥離可能に疑似接着しているので、開封時に、カットテープ１２で封止補助シート１３を切断し、他方の開き面７の折り返し部７ａを一方の開き面６の折り返し部６ａから剥離して開いた後（図８参照。）、一方の開き面６の折り返し部６ａを開く動作で、同時にインナーパッチ９を両隅の折り込み部３，４から剥離することができることになり（図９参照。）、一方の開き面６の折り返し部６ａを開く動作とインナーパッチ９を両隅の折り込み部３，４から剥離する動作を別々に行っていた開封作業に比べ作業が単純になり、開封作業効率の向上が図れる。
【００２４】
また、山折りした一方の開き面６及び両隅の折り込み部３，４の折り返し部３ｂ，４ｂがインナーパッチ９に疑似接着しているので、インナーパッチ９と一方の開き面６及び両隅の折り込み部３，４の折り返し部３ｂ，４ｂが一体となり、インナーパッチ９自体の破断が一方の開き面６及び両隅の折り込み部３，４の折り返し部３ｂ，４ｂで抑えられることになり、そして、他方の開き面７及び両隅の折り込み部３，４とともに山折りしたインナーパッチ９の第３折線Ｌ３の外側部分９ｂと、外側部分９ｂと対向するインナーパッチ９の第３折線Ｌ３の内側部分とを接着しているので、インナーパッチ９の他方の開き面７側にある未接着端縁の破断強度が強くなることから、開封時に、インナーパッチ９の他方の開き面７側にある未接着端縁からインナーパッチ９の内面側に指を差し込み一気にインナーパッチ９を両隅の折り込み部３，４から剥離してもインナーパッチ９が破断するおそれが無く、開封作業を容易に行うことができ、また、インナーパッチ９の破断のおそれが無くなる分、両隅の折り込み部３，４とインナーパッチ９とを剥離可能に接着する疑似接着剤１０ｂの接着強度を上げることができるので、開封口５の密閉性の向上が図れる。
【符号の説明】
【００２５】
１ 包装袋本体
２ 開封口形成側端部
２ａ 端縁
３ 折り込み部
３ａ  端縁
３ｂ,３ｃ  折り返し部
４ 折り込み部
４ａ  端縁
４ｂ,４ｃ  折り返し部
５ 開封口
６ 開き面
６ａ 折り返し部
７ 開き面
７ａ 折り返し部
８  矩形部位
９  インナーパッチ
９ａ  インナーパッチにおける第２折線の外側部分
９ｂ  インナーパッチにおける第３折線の外側部分
１０ａ,１０ｂ  疑似接着剤
１１  接着剤
１２ カットテープ
１３ 封止補助シート
Ｌ１ 第１折線
Ｌ２ 第２折線
Ｌ３ 第３折線
【図１】
2016016886.tif 000003
【図２】
2016016886.tif 000004
【図３】
2016016886.tif 000005
【図４】
2016016886.tif 000006
【図５】
2016016886.tif 000007
【図６】
2016016886.tif 000008
【図７】
2016016886.tif 000009
【図８】
2016016886.tif 000010
【図９】
2016016886.tif 000011